(57)【要約】【課題】芯枠に容易に取付けられる様にしたフィルタープレスにおける濾枠を提供する。【解決手段】濾板２間に配置され、且つ、外枠３内側に支持される円環状の芯枠５に装着可能な断面Ｃ形の円周溝1bを外周に設けたゴム製シール材から成る円環状の濾枠１であって、前記円周溝1bの開口部1cは最小幅Ｄが芯枠幅ｄよりも短く外方へ向かうに従い徐々に拡開した末広がり状に形成する。【選択図】図２
2014233674.tif 000002
【特許請求の範囲】
【請求項１】
濾板間に配置され、且つ、外枠内側に支持される円環状の芯枠に装着可能な断面Ｃ形の円周溝を外周に設けたゴム製シール材から成る円環状の濾枠であって、前記円周溝の開口部は最小幅が芯枠幅よりも短く外方へ向かうに従い徐々に拡開した末広がり状に形成して成ることを特徴とするフィルタープレスにおける濾枠。
【請求項２】
濾枠はその円周方向で複数に分割形成された円弧状の分割体から成ることを特徴とする請求項１記載のフィルタープレスにおける濾枠。
【請求項３】
分割体の各端部は相互に合致して連結可能な凹凸形状と成したことを特徴とする請求項２記載のフィルタープレスにおける濾枠。
【発明の詳細な説明】
【技術分野】
【０００１】
本発明は、フィルタープレスにおいて濾板間に配置される濾枠に関する。
【背景技術】
【０００２】
従来、この種の濾枠は、特許文献１に開示される様に、四角形状の外枠内側に支持された断面方形状で円環状の芯枠に取付けたゴム製シール材から成り、該シール材（濾枠）はフィルタープレスの閉板時の圧縮で芯枠から外れない様に、その外周にＣ形溝を形成し、該Ｃ形溝で芯枠を抱持する様にして濾枠の芯枠からの脱落防止を図っている。
【先行技術文献】
【特許文献】
【０００３】
【特許文献１】実公平４−５０８８３号公報
【発明の概要】
【発明が解決しようとする課題】
【０００４】
そして、上記濾枠は、閉板時に濾板との密封性を高めるためにゴム硬度の低い軟質なものを用いているとはいえ、外枠（芯枠）に対する濾枠の取付けにあたっては、円環状の濾枠外周全体のＣ形溝をその弾性力に抗して拡げながら芯枠をＣ形溝内に抱持せねばならないので、作業者はその両手先に相当な力を込めて芯枠に対する濾枠の取付けに望まねばならず、その作業は手先に痛みを生じるなど甚だ面倒で手間を要していた。
【０００５】
そこで、本発明では、芯枠に容易に取付けられる様にしたフィルタープレスにおける濾枠を提供することを目的としている。
【課題を解決するための手段】
【０００６】
上記課題に鑑み、本発明のフィルタープレスにおける濾枠は、濾板間に配置され、且つ、外枠内側に支持される円環状の芯枠に装着可能な断面Ｃ形の円周溝を外周に設けた円環状のゴム製シール材から成るものにして、前記円周溝の開口部は最小幅が芯枠幅よりも短く外方へ向かうに従い徐々に拡開した末広がり状に形成して成ることを特徴とする。
又、濾枠はその円周方向で複数に分割形成された円弧状の分割体から成ることを特徴とする。
更に、分割体の各端部は相互に合致して連結可能な凹凸形状と成しても良い。
【発明の効果】
【０００７】
要するに本発明に係る濾枠は、芯枠に装着可能な断面Ｃ形の円周溝を外周に設けた円環状のゴム製シール材から成り、前記円周溝の開口部は最小幅が芯枠幅よりも短く外方へ向かうに従い徐々に拡開した末広がり状に形成して成るので、芯枠への濾枠の取付けに際し、芯枠の内周側に円周溝の開口部を押し当てて押圧するだけで、堅固な芯枠によって開口部はその傾斜に沿って徐々に弾性的に押し広げられながら芯枠を奥方の円周溝内へ案内でき、従来に比し比較的容易に芯枠に濾枠を取付けることができ、開口部は芯枠の通過後は弾性復帰して円周溝からの芯枠の抜脱を防止できる。
【０００８】
濾枠はその円周方向で複数に分割形成された円弧状の分割体から成るので、各分割体は、無端の円環状に一体形成されたゴム製シール材から成る濾枠に比し短く、両端を有する円弧であるから、開口部をより一層容易に拡げられ、分割体を芯枠に取付けでき、これにより各分割体を芯枠に沿った円環状の濾枠として組み付けできるから、該濾枠を労せずして簡単容易に芯枠に取付けでき、その作業効率を向上できる。
しかも、従来の様な円環状の濾枠用の大型な成形型も不要で、製造も比較的簡単であると共に、外枠（芯枠）への濾枠（分割体）の組み付けが上記の様に非常に容易であるから従来に比しコストを低減できる。
更に、分割体は、上記の様に小型に成形可能であるから、運搬や保管も容易である。
【０００９】
分割体の各端部は相互に合致して連結可能な凹凸形状と成したので、分割体が上記の如く円環状に組み付けられた濾枠において、隣接する分割体同士間に隙間を生じさせることなくこれらを連結でき、この様に継ぎ目のシール性が良好な一連の濾枠を濾板間に構成できて従前と変わりのない濾過を実施できる等その実用的効果甚だ大である。
【図面の簡単な説明】
【００１０】
【図１】外枠に濾枠を取付けた状態を示す正面図である。
【図２】図１のＡ−Ａ断面図である。
【図３】分割体の正面図である。
【図４】図３のＢ−Ｂ断面端面図である。
【図５】分割体の端部を示す斜視図である。
【発明を実施するための形態】
【００１１】
以下本発明の実施の一形態例を図面に基づいて説明する。
図１に示す濾枠１は、フィルタープレスの長手方向で濾板２間に介在される様に多数並列配置されるものにして、金属製で方形枠状の外枠３内側に支持され、且つ外枠３の厚み方向前後に突出する様に厚肉に形成したゴム製シール材から成る。
【００１２】
外枠３は、断面形状が前後に長い扁平板状に形成され、その各側辺の内側中間部位には、これの前後長さよりも薄肉で所定形状の支持板４を介して、断面形状が支持板４の肉厚より前後に長い扁平板状で円環状に形成された芯枠５を内接固着し、左右側辺の外側中間部位にはアーム６を突設している。
【００１３】
又、シール材（濾枠）１は円環状に形成されると共に、内周面1aは、その断面形状を凹形に湾曲（凹面状に）形成し、その厚み（前後）方向の圧縮による弾性変形前後の曲率差が大きく成る様に設定しており、外周には、芯枠５の方形な断面形状に合致して装着可能な断面Ｃ形溝状の円周溝1bを形成している。
円周溝1bの開口部1cは、その最小幅Ｄが芯枠幅ｄよりも短く設定されると共に、外方（外縁）へ向かうに従い徐々に拡開した末広がり状に形成している。
【００１４】
そして、濾枠１は、その円周方向で複数に分割形成された円弧状の分割体７から構成されており、各分割体７の外縁には、円周溝1bが分割された円弧溝7aを有する。
各分割体７は、図示例の様に濾枠１をその円周方向で等分するのが好ましく、図示例では、濾枠１は４等分（図１参照）されているが、その等分数は適宜に設定される。
【００１５】
そして、芯枠５への濾枠１の取付けに際し、円弧溝7aの開口部1cを芯枠５の内周側に押し当てて押圧するだけで、堅固な芯枠５によって開口部1cはその傾斜に沿って徐々に弾性的に押し広げられながら芯枠５を奥方の円弧溝7a内へ導き、芯枠５に分割体７が取付けられ、開口部1cは芯枠５の通過後は弾性復帰してその開口部1cの最小幅Ｄが芯枠幅ｄより狭まり、円弧溝7a内に芯枠５が抱持されることになるため、円弧溝7aからの芯枠５の抜脱を防止する。
同様に他の分割体７を芯枠５に取付けることで円環状に組み付けられた濾枠１が外枠３の内側に支持される。
【００１６】
又、分割体７の各端部7b、7cは相互に合致して連結可能な凹凸形状と成しており、図示例の様に一端部7bは先細りの凸状に形成され、他端部7cは凸状端部7bに合致した漏斗形の凹状に形成されている。
したがって、分割体７が上記の如く円環状に組み付けられた濾枠１において、隣接する分割体７同士間に隙間を生じさせることなくこれらを連結でき、この様に継ぎ目のシール性が良好な一連の濾枠１を濾板２間に構成できて従前と変わりのない濾過を実施できる。
【００１７】
又、濾枠１の外周には、閉板時の締め付け力によって濾板２間の濾枠１に極度の圧縮圧力が作用することを規制し、濾枠１とその前後の濾板２とで構成される濾過室８を最適形状に保持して適正濾過を施すために、濾板２間に圧接介在される複数の金属製スペーサ９を所定間隔置きに突設している。
このスペーサ９は、円形平坦状の前後端面を濾板２との対向面9aと成した円柱状に形成して成り、前後方向中間の半円部位には、薄肉で末広がり状の突片9bを設け、該突片9bの幅広端部を濾枠１の外周面適所に溶接固定している。
【符号の説明】
【００１８】
１  濾枠
1b  円周溝
1c  開口部
２  濾板
３  外枠
５  芯枠
７  分割体
7b  端部
7c  端部
Ｄ  最小幅
ｄ  芯枠幅
【図１】
2014233674.tif 000003
【図２】
2014233674.tif 000004
【図３】
2014233674.tif 000005
【図４】
2014233674.tif 000006
【図５】
2014233674.tif 000007